(57)【要約】 【課題】  カラー部材を備えた差込部材を支持体に確実に固定することができ、かくして、差込部材の固定後に外嵌部材を該差込部材に結合できる装置の提供。【解決手段】  半径方向外方に突出するカラー部材（６）を備えた差込部材（２）と、外嵌によって該差込部材（２）に結合可能な外嵌部材（４）とを有する少なくとも１つの連結装置（１）を支持部材に固定する装置であって、該支持部材に固定可能な支持体（１３）と、該支持体（１３）に形成され且つ互いに対し平行に所定の距離をおいて配向された２つの長い側方部材（１０，１１）を有する装置において、前記側方部材（１０，１１）は、夫々、前記支持体（１３）に形成された側壁（１２）と、該側壁（１２）の前記支持体（１３）に向い合う側に形成され、他方の側方部材（１０，１１）の方向に延在する上壁部（１８）を有すること、前記上壁部（１８）の互いに向い合う側端部は、前記差込部材（２）に結合されたパイプ（７）の外径に相応する相互間距離を有し、かつ、前記支持体（１３）の方向を指向し、前記差込部材（２）を前記側方部材（１０，１１）間に脱離しないよう保持するために前記カラー部材（６）と協働する係止要素（２３）を備える弾性アーム（２０）を夫々有することを特徴とする。【選択図】  図１
2010511131.tif 000002
【特許請求の範囲】
【請求項１】
半径方向外方に突出するカラー部材（６）を備えた差込部材（２）と、外嵌によって該差込部材（２）に結合可能な外嵌部材（４）とを有する少なくとも１つの連結装置（１）を支持部材に固定する装置であって、該支持部材に固定可能な支持体（１３）と、該支持体（１３）に形成され且つ互いに対し平行に所定の距離をおいて配向された２つの長い側方部材（１０，１１）を有する装置において、
前記側方部材（１０，１１）は、夫々、前記支持体（１３）に形成された側壁（１２）と、該側壁（１２）の前記支持体（１３）に向い合う側に形成され、他方の側方部材（１０，１１）の方向に延在する上壁部（１８）を有すること、
前記上壁部（１８）の互いに向い合う側端部は、前記差込部材（２）に結合されたパイプ（７）の外径に相応する相互間距離を有する弾性アーム（２０）を夫々有し、かつ、該弾性アーム（２０）は、前記支持体（１３）の方向を指向し、前記差込部材（２）を前記側方部材（１０，１１）間に脱離しないよう保持するために前記カラー部材（６）と協働する係止要素（２３）を備えること
を特徴とする装置。
【請求項２】
前記弾性アームは、各自の上壁部（１８）に形成されたＬ字状又はＵ字状切欠（１９）を有すること
を特徴とする請求項１に記載の装置。
【請求項３】
可撓性領域（２１）から前記係止要素（２３）に向う前記弾性アーム（２０）の延長領域に、前記係止要素（２３）に対し所定の間隔をおいて隣接して配置され、他方の側方部材（１０，１１）の方向に（カラー状に）突出する終端リブ（２４）が配設されていること
を特徴とする請求項１又は２に記載の装置。
【請求項４】
１つの終端リブ（２４）は、１つの側方部材（１０，１１）の端部に形成されていること
を特徴とする請求項３に記載の装置。
【請求項５】
前記係止要素（２３）は、夫々、前記支持体（１３）の方向に突出する係止ノーズ（２３）として構成されていること
を特徴とする請求項３又は４に記載の装置。
【請求項６】
前記係止ノーズ（２３）は、夫々、導入側（１４）から離隔するに従って前記支持体（１３）に向って上昇するすべり傾斜部（２７）と、該すべり傾斜部（２７）の反対側において前記支持体（１３）に対し直角に配向された当接面（２８）を有すること
を特徴とする請求項５に記載の装置。
【請求項７】
前記側方部材（１０，１１）は、夫々、前記終端リブ（２４）の反対側に、前記終端リブ（２４）と同程度に他方の側方部材（１０，１１）に向って内方に（カラー状に）突出する案内部（１５）を有し、該案内部（１５）は、各自の側方部材（１０，１１）の前記導入側（１４）を指向する端部から対応する前記可撓性領域（２１）まで延在すること
を特徴とする請求項４〜６の何れか１項に記載の装置。
【請求項８】
前記側方部材（１０，１１）の各々の案内部（１５）の領域に、外方に（カラー状に）突出する補強フランジ（１７）が外設されていること
を特徴とする請求項７に記載の装置。
【発明の詳細な説明】
【技術分野】
【０００１】
本発明は、請求項１の上位概念部（前置部）に記載の、支持部材に少なくとも１つの連結装置を固定する装置に関する。
【背景技術】
【０００２】
実用上既知の、支持部材に連結装置を固定する装置は、支持部材に固定可能な支持体を有し、該支持体には、互いに対向して配置され支持体から突出し固定のために連結装置を包囲する複数対の弾性的スナップ式フックが設けられている。この既知の装置の場合、連結装置は、不測の脱離を阻止するのに十分な強度で支持体に固定することは可能であるが、当該連結装置の双方の部材は、予め互いに結合されていなければならない。しかしながら、これは、適用事例によっては、不都合であるか、そもそも不可能である。
【発明の概要】
【発明が解決しようとする課題】
【０００３】
本発明の課題は、カラー部材を備えた差込部材を支持体に確実に結合（固定）することができ、かくして、差込部材の固定後に外嵌部材を該差込部材に結合できる、冒頭に述べた種類の装置を提供することである。
【課題を解決するための手段】
【０００４】
上記の課題は、冒頭に述べた種類の装置において、本発明の一視点により、請求項１の特徴部に記載の特徴によって解決される。
【発明の効果】
【０００５】
本発明に係る装置の構成により、差込部材は、側方部材間への（スライド）挿入及びカラー部材と係止部材との係合ロックによって予め固定されることができ、かくして、差込部材が装置から再び分離される危険性を伴うことなく、外嵌部材は差込部材に結合されることができる。
【発明を実施するための形態】
【０００６】
本発明の更なる好ましい実施の形態及び利点は、従属請求項の対象である。
【０００７】
本発明の更なる利点は、添付の図面を参照した実施例の以下の説明から明らかになる。
【図面の簡単な説明】
【０００８】
【図１】１つの支持部材に４つの連結装置を固定するための本発明に係る装置の一実施例の斜視図。
【図２】１つの支持部材に１つの連結装置を固定するための本発明に係る装置の他の一実施例の斜視図。
【実施例】
【０００９】
図１は、ＦＡＫＲＡ（Fach-Normenausschuss Kraftfahrzeuge、ドイツ専門規格委員会自動車）規格で規定するタイプの４つの連結装置１を固定するための本発明に係る装置の一実施例の斜視図であるが、図１には２つの連結装置１のみが示されている。各連結装置１は、差込部材２と、差込部材２に外嵌可能（差込部材２（の外周）上に摺動により嵌込可能）でありかつ係止爪機構３を介して該差込部材２に係止可能な外嵌部材４とを有する。差込部材２は、係止爪機構３に対向するその端部に、（全）周に亘って延在する凹部５と、同様に（全）周に亘って延在し終端側において該凹部５の境界を形成し方形横断面（外周形状）を有するカラー部材６を有する。連結装置１の差込部材２および外嵌部材４は、それぞれ、例えばアンテナパイプのような相互間に結合が形成されるべきパイプ７，８の終端部に結合されている。
【００１０】
図１から明らかなとおり、全部で４つの連結装置１を固定するために、図示の実施例は、それぞれ同一に構成された全部で４つの保持装置９を有する。なお、図１においては、視認性の観点から、１つの保持装置９に対してのみ、以下の説明で使用するすべての図面参照符号が付されている。
【００１１】
各保持装置９は、所定の距離を置いて互いに対し平行に配向された２つの長い側方部材１０，１１を有し、該側方部材１０，１１は、それぞれ１つの側壁１２を有し、該側壁１２は、夫々その長手辺が互いに対し僅かに傾斜されて、図示の実施例では平坦なプレートとして構成された支持体１３に結合されている。各側壁１２は、図１に示されている位置関係では保持装置９の前方に位置付けられている導入側１４に、平坦な案内部１５を有する。案内部１５は、案内部１５の導入側１４から離隔する側に形成された壁内凹部１６に対して（から見て）内方に突出している。
【００１２】
各側壁１２には、導入側１４を指向する縁部に、（外方に）突出する（張り出された）補強フランジ１７が形成されている。補強フランジ１７は、側壁１２に半径方向外方に配され、かつ、支持体１３から側壁１２の支持体１３から離隔する長手辺（側）まで延在し、かつ、各自の保持装置９の対向する側方部材１０，１１の方向に延在するフック状端部を有する。
【００１３】
更に、図１から明らかなとおり、各側方部材１０，１１は、各自の側壁１２の支持体１３に対向する縁部に形成され且つ各自の側壁１２から支持体１３に平行に保持装置９の対向する側方部材１０，１１の方向に延在する上壁部１８を有する。（２つの）上壁部１８の互いに向い合う側端部は、差込部材２に結合されるパイプ７の（外）径に少なくとも相応する相互間距離を有する。
【００１４】
保持装置９の側方部材１０，１１の側壁１２の案内部１５間の距離および支持体１３と上壁部１８との間の距離は、極めて僅かな遊びを別とすれば、差込部材２の一般的に方形の（外形）寸法に実質的に相応するため、差込部材２は、当該差込部材２に結合されたパイプ７を保持装置９に嵌め込んだ後、その保持装置９の側方部材１０，１１間に引き込まれることができる。
【００１５】
図示の実施例の場合、各上壁部１８には、Ｌ字状切欠（スリット）１９によって、弾性アーム２０が形成されている。弾性アーム２０の可撓性領域２１は、保持装置９の導入側１４を指向する側において、案内部１５の導入側１４から離隔する端部に当接（接続）し、弾性アームの導入側１４から離隔する自由端２２には、支持体１３の方向に延在する係止ノーズ２３が係止要素として形成されている。
【００１６】
Ｌ字状切欠（スリット）１９の代わりに、Ｕ字状切欠（スリット）１９が形成される実施例（不図示）の場合、弾性アーム２０は、上壁部１８に完全に組込まれているため、破損に対してとりわけ良好に保護される。
【００１７】
更に、保持装置９の各側方部材１０，１１は、導入側１４から離隔する側に、各自の側壁１２に形成され支持体１３から各自の上壁部１８まで延在する終端リブ２４を有する。
【００１８】
図１の実施例の場合、保持装置９内への差込部材２の導入および保持装置９に固定された差込部材２への外嵌部材４の外嵌を容易化するため、保持装置９には、導入側１４における側壁１２の延長領域に、案内壁２５が前方に形成されている。
【００１９】
支持体１３を支持部材（図１には示してない）に固定するために、支持体１３には固定装置２６が形成されている。
【００２０】
図２は、支持体１３に設置けられた保持装置９と、同様に支持体１３に形成された固定装置２６を有する本発明に係る装置の更なる一実施例の斜視図である。なお、これらの構成要素は、図１を用いて説明した実施例の場合と同様に構成されている。図２から明らかなとおり、係止ノーズ２３は、導入側１４から遠ざかるに従って支持体１３に向って上昇し（近付き）導入側１４を指向するすべり傾斜部（面）２７を有するとともに、導入側１４から離隔する側に、支持体１３に対して直角に配向された平坦な当接面２８（傾斜部２７とは反対側の端面）を有する。
【００２１】
更に図２から明らかなとおり、終端リブ２４は、夫々、支持体１３に形成された角柱部２９を有し、（２つの）終端リブ２４の互いに向い合う平坦面は、夫々、各自の終端リブ２４が形成された側壁１２の案内部１５と面一になっている。更に、終端リブ２４は、夫々、対応する上壁部１８を指向する側に当接部３０を有する。当接部３０は、角柱部２９と上壁部１８との間に配され、（２つの）角柱部２９の互いに向い合う平坦面を越えて、保持装置９の互いに向い合う側方部材１０，１１の方向に延在する。このため、（２つの）当接部３０は、保持装置９の（当接部３０間における）横断面を角柱部２９（間における横断面）に比べて狭窄する。このため、保持装置９の各側方部材１０，１１には、当接面２８と当接部３０との間に、カラー部材受容スペース３１が形成される。カラー部材受容スペース３１は、差込部材２のカラー部材６が実質的に遊びなくないし場合によっては僅かな遊びをもって当接面２８と当接部３０との間に配置されるような寸法（形状）に構成されると都合がよい。
【００２２】
支持体１３には、差込部材２に存在する隆起（径大ないし拡幅部）を受容するために、側方部材１０，１１間に、これらの側方部材１０，１１と境を接する支持体受け（切欠受容部）３２，３３が形成され、これらの支持受け部（切欠受容部）３２，３３の間には安定化（補強）中央ウェブ３４が設けられている。
【００２３】
図１と図２と相互に関連して観察することにより、連結装置１は保持装置９に以下のように固定されることができる。差込部材２に結合されたパイプ７が２つの側方部材１０，１１間に配置された後、差込部材２は導入側１４から保持装置９内に終端リブ２４の方向に挿入される。このとき、終端リブ２４に接近する際に、すべり傾斜部２７は、弾性アーム２０の外方への弾性的湾曲（反り返り）により、カラー部材６に対して乗り上げるようカラー部材６を滑動させる。カラー部材受容スペース３１へのカラー部材６の導入後、弾性アーム２０は、可撓性領域２１に生じている弾力により瞬間的に原状復帰し、カラー部材６の背後に形成された凹部５に係止ノーズ２３が嵌まり込む。かくして、カラー部材６は、一方では、当接部３０への当接によって更なる前進が阻止され、他方では、当接面２８によって（カラー部材６が）後方から係合されることにより、反対方向への摺動による導入側１４への予期せぬ脱離の阻止が保証される。
【００２４】
この固定位置において、連結装置１の双方の部材即ち差込部材２および外嵌部材４が、保持装置９にパイプ７が配される前には未だ互いに結合されていない場合、外嵌部材４を差込部材２に外嵌して（外嵌部材４を差込部材２（の外周）上を摺動させて嵌め込み）図１に示されている状態にすることができる。
【００２５】
当接面２８とカラー部材６との後方係合が解除され、差込部材２が側方部材１０，１１から抜け出るまで導入側１４の方向に摺動可能になるよう、例えばドライバーの刃のような工具によって弾性アーム２０を支持体１３から引き離すよう動かすことによって、差込部材２ないし連結装置１全体を保持装置９から再び取り出すことができる。
［符号の説明］
１          連結装置
２          差込部材
３          係止爪機構
４          外嵌部材
５          凹部
６          カラー部材
７，８      パイプ
９          保持装置
１０，１１  側方部材
１２        側壁
１３        支持体
１４        導入側
１５        案内部
１７        補強フランジ
１８        上壁部
１９        Ｌ字状切欠
２０        弾性アーム
２１        可撓性領域
２３        係止要素
２４        終端リブ
２７        すべり傾斜部（傾斜面）
２８        当接面
３２，３３  支持受容部（切欠受容部）
【図１】
2010511131.tif 000003
【図２】
2010511131.tif 000004
【手続補正書】
【提出日】平成21年7月28日(2009.7.28)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念部（前置部）に記載の、支持部材に少なくとも１つの連結装置を固定する装置に関する。
【背景技術】
【０００２】
実用上既知の、支持部材に連結装置を固定する装置は、支持部材に固定可能な支持体を有し、該支持体には、互いに対向して配置され支持体から突出し固定のために連結装置を包囲する複数対の弾性的スナップ式フックが設けられている。この既知の装置の場合、連結装置は、不測の脱離を阻止するのに十分な強度で支持体に固定することは可能であるが、当該連結装置の双方の部材は、予め互いに結合されていなければならない。しかしながら、これは、適用事例によっては、不都合であるか、そもそも不可能である。
【先行技術文献】
【特許文献】
【０００３】
【特許文献１】ＦＲ２１１７０８２Ａ
【特許文献２】ＵＳ５，６３６，９３７Ａ
【発明の概要】
【発明が解決しようとする課題】
【０００４】
本発明の課題は、カラー部材を備えた差込部材を支持体に確実に結合（固定）することができ、かくして、差込部材の固定後に外嵌部材を該差込部材に結合できる、冒頭に述べた種類の装置を提供することである。
【課題を解決するための手段】
【０００５】
上記の課題は、冒頭に述べた種類の装置において、本発明の一視点により、請求項１の特徴部に記載の特徴によって解決される。即ち、本発明の一視点において、半径方向外方に突出するカラー部材を備えた差込部材と、外嵌によって該差込部材に結合可能な外嵌部材とを有する少なくとも１つの連結装置を支持部材に固定する装置であって、該支持部材に固定可能な支持体と、該支持体に形成され且つ互いに対し平行に所定の距離をおいて配向された２つの長い側方部材を有する装置が提供される。この装置において、
前記側方部材は、夫々、前記支持体に形成された側壁と、該側壁の前記支持体に向い合う側に形成され、他方の側方部材の方向に延在する上壁を有すること、
前記上壁の互いに向い合う側端部は、前記差込部材に結合されたパイプの外径に相応する相互間距離を有する弾性アームを夫々有し、かつ、該弾性アームは、前記支持体の方向を指向し、前記差込部材を前記側方部材間に脱離しないよう保持するために前記カラー部材と協働する係止要素を備えることを特徴とする（形態１・基本構成）。
【発明の効果】
【０００６】
本発明により、カラー部材を備えた差込部材を支持体に確実に結合（固定）することができ、かくして、差込部材の固定後に外嵌部材を該差込部材に結合できる。即ち、本発明に係る装置の構成により、差込部材は、側方部材間への（スライド）挿入及びカラー部材と係止部材との係合ロックによって予め固定されることができ、かくして、差込部材が装置から再び分離される危険性を伴うことなく、外嵌部材は差込部材に結合されることができる。
【発明を実施するための形態】
【０００７】
本発明の更なる好ましい実施の形態及び利点は、従属請求項の対象である。以下に、本発明の好ましい実施の形態を示す：
（形態１）  上記基本構成参照。
（形態２）  上記の装置において、前記弾性アームは、各自の上壁に形成されたＬ字状又はＵ字状切欠を有することが好ましい。
（形態３）  上記の装置において、可撓性領域から前記係止要素に向う前記弾性アームの延長領域に、前記係止要素に対し所定の間隔をおいて隣接して配置され、他方の側方部材の方向に（カラー状に）突出する終端リブが配設されていることが好ましい。
（形態４）  上記の装置において、１つの終端リブは、１つの側方部材の端部に形成されていることが好ましい。
（形態５）  上記の装置において、前記係止要素は、夫々、前記支持体の方向に突出する係止ノーズとして構成されていることが好ましい。
（形態６）  上記の装置において、前記係止ノーズは、夫々、導入側から離隔するに従って前記支持体の方向に向って上昇するすべり傾斜部と、該すべり傾斜部の反対側において前記支持体に対し直角に配向された当接面を有することが好ましい。
（形態７）  上記の装置において、前記側方部材は、夫々、前記終端リブの反対側に、前記終端リブと同程度に他方の側方部材に向って内方に（カラー状に）突出する案内部を有し、該案内部は、各自の側方部材の前記導入側を指向する端部から対応する前記可撓性領域まで延在することが好ましい。
（形態８）  上記の装置において、前記側方部材の各々の案内部の領域に、外方に（カラー状に）突出する補強フランジが外設されていることが好ましい。
【０００８】
本発明の更なる利点は、添付の図面を参照した実施例の以下の説明から明らかになる。なお、以下の説明は本発明の実施例についての説明に過ぎない。また、特許請求の範囲に付記された図面参照符号は、専ら発明の理解を助けるためのものであり、本発明を図示の態様に限定することは意図されていない。
【図面の簡単な説明】
【０００９】
【図１】１つの支持部材に４つの連結装置を固定するための本発明に係る装置の一実施例の斜視図。
【図２】１つの支持部材に１つの連結装置を固定するための本発明に係る装置の他の一実施例の斜視図。
【実施例】
【００１０】
図１は、ＦＡＫＲＡ（Fach-Normenausschuss Kraftfahrzeuge、ドイツ専門規格委員会自動車）規格で規定するタイプの４つの連結装置１を固定するための本発明に係る装置の一実施例の斜視図であるが、図１には２つの連結装置１のみが示されている。各連結装置１は、差込部材２と、差込部材２に外嵌可能（差込部材２（の外周）上に摺動により嵌込可能）でありかつ係止爪機構３を介して該差込部材２に係止可能な外嵌部材４とを有する。差込部材２は、係止爪機構３に対向するその端部に、（全）周に亘って延在する凹部５と、同様に（全）周に亘って延在し終端側において該凹部５の境界を形成し方形横断面（外周形状）を有するカラー部材６を有する。連結装置１の差込部材２および外嵌部材４は、それぞれ、例えばアンテナパイプのような相互間に結合が形成されるべきパイプ７，８の終端部に結合されている。
【００１１】
図１から明らかなとおり、全部で４つの連結装置１を固定するために、図示の実施例は、それぞれ同一に構成された全部で４つの保持装置９を有する。なお、図１においては、視認性の観点から、１つの保持装置９に対してのみ、以下の説明で使用するすべての図面参照符号が付されている。
【００１２】
各保持装置９は、所定の距離を置いて互いに対し平行に配向された２つの長い側方部材１０，１１を有し、該側方部材１０，１１は、それぞれ１つの側壁１２を有し、該側壁１２は、夫々その長手辺が互いに対し僅かに傾斜されて、図示の実施例では平坦なプレートとして構成された支持体１３に結合されている。各側壁１２は、図１に示されている位置関係では保持装置９の前方に位置付けられている導入側１４に、平坦な案内部１５を有する。案内部１５は、案内部１５の導入側１４から離隔する側に形成された壁内凹部１６に対して（から見て）内方に突出している。
【００１３】
各側壁１２には、導入側１４を指向する縁部に、（外方に）突出する（張り出された）補強フランジ１７が形成されている。補強フランジ１７は、側壁１２に半径方向外方に配され、かつ、支持体１３から側壁１２の支持体１３から離隔する長手辺（側）まで延在し、かつ、各自の保持装置９の対向する側方部材１０，１１の方向に延在するフック状端部を有する。
【００１４】
更に、図１から明らかなとおり、各側方部材１０，１１は、各自の側壁１２の支持体１３に対向する縁部に形成され且つ各自の側壁１２から支持体１３に平行に保持装置９の対向する側方部材１０，１１の方向に延在する上壁部１８を有する。（２つの）上壁部１８の互いに向い合う側端部は、差込部材２に結合されるパイプ７の（外）径に少なくとも相応する相互間距離を有する。
【００１５】
保持装置９の側方部材１０，１１の側壁１２の案内部１５間の距離および支持体１３と上壁部１８との間の距離は、極めて僅かな遊びを別とすれば、差込部材２の一般的に方形の（外形）寸法に実質的に相応するため、差込部材２は、当該差込部材２に結合されたパイプ７を保持装置９に嵌め込んだ後、その保持装置９の側方部材１０，１１間に引き込まれることができる。
【００１６】
図示の実施例の場合、各上壁部１８には、Ｌ字状切欠（スリット）１９によって、弾性アーム２０が形成されている。弾性アーム２０の可撓性領域２１は、保持装置９の導入側１４を指向する側において、案内部１５の導入側１４から離隔する端部に当接（接続）し、弾性アームの導入側１４から離隔する自由端２２には、支持体１３の方向に延在する係止ノーズ２３が係止要素として形成されている。
【００１７】
Ｌ字状切欠（スリット）１９の代わりに、Ｕ字状切欠（スリット）１９が形成される実施例（不図示）の場合、弾性アーム２０は、上壁部１８に完全に組込まれているため、破損に対してとりわけ良好に保護される。
【００１８】
更に、保持装置９の各側方部材１０，１１は、導入側１４から離隔する側に、各自の側壁１２に形成され支持体１３から各自の上壁部１８まで延在する終端リブ２４を有する。
【００１９】
図１の実施例の場合、保持装置９内への差込部材２の導入および保持装置９に固定された差込部材２への外嵌部材４の外嵌を容易化するため、保持装置９には、導入側１４における側壁１２の延長領域に、案内壁２５が前方に形成されている。
【００２０】
支持体１３を支持部材（図１には示してない）に固定するために、支持体１３には固定装置２６が形成されている。
【００２１】
図２は、支持体１３に設置けられた保持装置９と、同様に支持体１３に形成された固定装置２６を有する本発明に係る装置の更なる一実施例の斜視図である。なお、これらの構成要素は、図１を用いて説明した実施例の場合と同様に構成されている。図２から明らかなとおり、係止ノーズ２３は、導入側１４から遠ざかるに従って支持体１３に向って上昇し（近付き）導入側１４を指向するすべり傾斜部（面）２７を有するとともに、導入側１４から離隔する側に、支持体１３に対して直角に配向された平坦な当接面２８（傾斜部２７とは反対側の端面）を有する。
【００２２】
更に図２から明らかなとおり、終端リブ２４は、夫々、支持体１３に形成された角柱部２９を有し、（２つの）終端リブ２４の互いに向い合う平坦面は、夫々、各自の終端リブ２４が形成された側壁１２の案内部１５と面一になっている。更に、終端リブ２４は、夫々、対応する上壁部１８を指向する側に当接部３０を有する。当接部３０は、角柱部２９と上壁部１８との間に配され、（２つの）角柱部２９の互いに向い合う平坦面を越えて、保持装置９の互いに向い合う側方部材１０，１１の方向に延在する。このため、（２つの）当接部３０は、保持装置９の（当接部３０間における）横断面を角柱部２９（間における横断面）に比べて狭窄する。このため、保持装置９の各側方部材１０，１１には、当接面２８と当接部３０との間に、カラー部材受容スペース３１が形成される。カラー部材受容スペース３１は、差込部材２のカラー部材６が実質的に遊びなくないし場合によっては僅かな遊びをもって当接面２８と当接部３０との間に配置されるような寸法（形状）に構成されると都合がよい。
【００２３】
支持体１３には、差込部材２に存在する隆起（径大ないし拡幅部）を受容するために、側方部材１０，１１間に、これらの側方部材１０，１１と境を接する支持体受け（切欠受容部）３２，３３が形成され、これらの支持受け部（切欠受容部）３２，３３の間には安定化（補強）中央ウェブ３４が設けられている。
【００２４】
図１と図２と相互に関連して観察することにより、連結装置１は保持装置９に以下のように固定されることができる。差込部材２に結合されたパイプ７が２つの側方部材１０，１１間に配置された後、差込部材２は導入側１４から保持装置９内に終端リブ２４の方向に挿入される。このとき、終端リブ２４に接近する際に、すべり傾斜部２７は、弾性アーム２０の外方への弾性的湾曲（反り返り）により、カラー部材６に対して乗り上げるようカラー部材６を滑動させる。カラー部材受容スペース３１へのカラー部材６の導入後、弾性アーム２０は、可撓性領域２１に生じている弾力により瞬間的に原状復帰し、カラー部材６の背後に形成された凹部５に係止ノーズ２３が嵌まり込む。かくして、カラー部材６は、一方では、当接部３０への当接によって更なる前進が阻止され、他方では、当接面２８によって（カラー部材６が）後方から係合されることにより、反対方向への摺動による導入側１４への予期せぬ脱離の阻止が保証される。
【００２５】
この固定位置において、連結装置１の双方の部材即ち差込部材２および外嵌部材４が、保持装置９にパイプ７が配される前には未だ互いに結合されていない場合、外嵌部材４を差込部材２に外嵌して（外嵌部材４を差込部材２（の外周）上を摺動させて嵌め込み）図１に示されている状態にすることができる。
【００２６】
当接面２８とカラー部材６との後方係合が解除され、差込部材２が側方部材１０，１１から抜け出るまで導入側１４の方向に摺動可能になるよう、例えばドライバーの刃のような工具によって弾性アーム２０を支持体１３から引き離すよう動かすことによって、差込部材２ないし連結装置１全体を保持装置９から再び取り出すことができる。
［符号の説明］
１          連結装置
２          差込部材
３          係止爪機構
４          外嵌部材
５          凹部
６          カラー部材
７，８      パイプ
９          保持装置
１０，１１  側方部材
１２        側壁
１３        支持体
１４        導入側
１５        案内部
１７        補強フランジ
１８        上壁部
１９        Ｌ字状切欠
２０        弾性アーム
２１        可撓性領域
２３        係止要素
２４        終端リブ
２７        すべり傾斜部（傾斜面）
２８        当接面
３２，３３  支持受容部（切欠受容部）
【国際調査報告】
2010511131.tif 000005
2010511131.tif 000006
2010511131.tif 000007
2010511131.tif 000008